(57)【特許請求の範囲】
【請求項１】
入射した光束を、偏光方向が互いに直交する第１偏光光及び第２偏光光に偏光分離する反射型偏光板と、
前記反射型偏光板に対して傾斜して配設され、前記反射型偏光板にて偏光分離された前記第１偏光光を画像情報に応じて変調し、前記反射型偏光板に向けて出射する反射型光変調装置と、
前記反射型偏光板及び前記反射型光変調装置を支持する支持体と、
前記反射型偏光板にて偏光分離された前記第２偏光光の出射側に配設され、前記第２偏光光を遮蔽する遮蔽部材と、
を備えることを特徴とするプロジェクター。
【請求項２】
請求項１に記載のプロジェクターであって、
前記遮蔽部材は、前記支持体に接続されることを特徴とするプロジェクター。
【請求項３】
請求項１または請求項２に記載のプロジェクターであって、
前記反射型光変調装置は、
入射した光束を変調する装置本体と、
前記装置本体に電気的に接続されるフレキシブル配線基板と、を備え、
前記フレキシブル配線基板は、前記遮光部材に向けて引き回され、前記遮蔽部材に取り付けられることを特徴とするプロジェクター。
【請求項４】
請求項１から請求項３のいずれかに記載のプロジェクターであって、
前記遮蔽部材を放熱させる放熱部を備え、
前記放熱部は、前記遮蔽部材の前記第２偏光光を遮蔽する部分に設けられることを特徴とするプロジェクター。
【請求項５】
請求項１から請求項４のいずれかに記載のプロジェクターであって、
前記遮蔽部材には、入射した光束を吸収する光吸収処理が施されていることを特徴とするプロジェクター。
【請求項６】
請求項１から請求項５のいずれかに記載のプロジェクターであって、
前記遮蔽部材及び前記支持体は、一体成形されていることを特徴とするプロジェクター。
【発明の詳細な説明】
【技術分野】
【０００１】
本発明は、プロジェクターに関する。
【背景技術】
【０００２】
従来、入射した光束を画像情報に応じて変調する光変調装置として、ＬＣＯＳ(Liquid Crystal On Silicon)等の反射型液晶パネルを採用したプロジェクターが知られている（例えば、特許文献１参照）。
特許文献１に記載のプロジェクターでは、入射した光束を、互いに偏光方向が直交する第１の直線偏光光及び第２の直線偏光光に偏光分離するワイヤーグリッドを備え、反射型液晶パネル及びワイヤーグリッドが支持体により支持されている。
そして、光源から出射されワイヤーグリッドにて偏光分離された各偏光光のうち、第１の直線偏光光は反射型液晶パネルに入射し、第２の直線偏光光は光路外に出射される。
【先行技術文献】
【特許文献】
【０００３】
【特許文献１】特開２００９−０３６８１９号公報
【発明の概要】
【発明が解決しようとする課題】
【０００４】
特許文献１に記載のプロジェクターでは、光源から出射されワイヤーグリッドにて偏光分離された各偏光光のうち、光路外に出射された第２の直線偏光光は、反射型液晶パネル、ワイヤーグリッド、支持体等を収納配置する筐体の内面に照射されることとなる。
なお、反射型液晶パネルやワイヤーグリッドに対して光路下流側に配設された光学部品等にて反射され、ワイヤーグリッド側に戻った光束の一部も、ワイヤーグリッドを介して上記第２の直線偏光光と同様に光路外に出射され、筐体の内面に照射されることとなる。
したがって、ワイヤーグリッドを介して光路外に出射される不要光により、筐体が熱劣化してしまう恐れがある。
このため、上述した不要光の照射による筐体の熱劣化を防止してプロジェクターの長寿命化が図れる技術が要望されている。
【０００５】
本発明の目的は、長寿命化が図れるプロジェクターを提供することにある。
【課題を解決するための手段】
【０００６】
本発明のプロジェクターは、入射した光束を、偏光方向が互いに直交する第１の直線偏光光及び第２の直線偏光光に偏光分離する反射型偏光板と、前記反射型偏光板に対して傾斜して配設され、前記反射型偏光板にて偏光分離された前記第１の直線偏光光を画像情報に応じて変調し、前記反射型偏光板に向けて出射する反射型光変調装置と、前記反射型偏光板及び前記反射型光変調装置を支持する支持体と、前記反射型光変調装置にて変調される前に前記反射型偏光板に入射し、前記反射型偏光板にて偏光分離された前記第２の直線偏光光の出射側に配設され、前記支持体に接続する遮蔽部材とを備えることを特徴とする。
【０００７】
本発明では、プロジェクターは、反射型光変調装置にて変調される前に反射型偏光板に入射し、反射型偏光板にて偏光分離された第２の直線偏光光の出射側に配設された遮蔽部材を備える。
このことにより、上述した第２の直線偏光光や、反射型光変調装置及び反射型偏光板の光路下流側に配設された光学部品等にて反射されて反射型偏光板側に戻り、反射型偏光板を介して上記第２の直線偏光光と同様の方向に出射された光束等の不要光は、遮蔽部材に照射されることとなる。したがって、反射型光変調装置、反射型偏光板、支持体、及び遮蔽部材等を収納配置する筐体の内面に上述した不要光が照射されることがなく、筐体の熱劣化を防止してプロジェクターの長寿命化が図れる。
また、遮蔽部材が支持体に接続しているため、不要光の照射により遮蔽部材に生じた熱を支持体に伝達させることができる。すなわち、遮蔽部材と支持体とを独立させた構成と比較して、遮蔽部材の放熱特性を向上させて遮蔽部材の温度上昇を抑制できる。
【０００８】
本発明のプロジェクターでは、前記遮蔽部材及び前記支持体は、一体成形されていることが好ましい。
本発明では、遮蔽部材及び支持体が一体成形されているので、遮蔽部材と支持体とを独立して製造した場合と比較して、遮蔽部材を支持体に対してネジ等により固定する工程を省略でき、プロジェクターを容易に製造できる。
ところで、遮蔽部材の放熱特性を向上させるためには、遮蔽部材に複数のフィンを設け、ヒートシンクとしての機能を持たせることが好ましい。
ここで、例えば、遮蔽部材を板金加工等で製造した場合には、遮蔽部材に複数のフィンを設けることが難しい。
これに対して、本発明では、遮蔽部材が支持体とともに成形により一体形成されているので、遮蔽部材に複数のフィンを容易に設けることができ、遮蔽部材にヒートシンクとしての機能を持たせることができる。そして、遮蔽部材にヒートシンクとしての機能を持たせることで、遮蔽部材の放熱特性を向上させることができるため、反射型光変調装置や反射型偏光板に生じた熱を支持体〜遮蔽部材の熱伝達経路を辿って遮蔽部材から放熱させることができ、反射型光変調装置や反射型偏光板の温度上昇も抑制できる。
【０００９】
本発明のプロジェクターでは、前記反射型光変調装置は、入射した光束を変調する装置本体と、前記装置本体に電気的に接続されるフレキシブル配線基板とを備え、前記フレキシブル配線基板は、前記反射型光変調装置が前記支持体に支持された際に、前記遮光部材に向けて引き回され、前記遮蔽部材に取り付けられることが好ましい。
本発明では、遮蔽部材は、反射型光変調装置が支持体に支持された際に上述したように引き回されたフレキシブル配線基板を支持する。
このことにより、反射型光変調装置が支持体に支持された際に、フレキシブル配線基板が折り曲げられた状態となった場合であっても、遮蔽部材にてフレキシブル配線基板を補強することができる。このため、フレキシブル配線基板と装置本体との電気的な接続状態を良好に維持できる。
また、フレキシブル配線基板が遮蔽部材に取り付けられることで、上述した不要光がフレキシブル配線基板に照射されることも防止できるため、フレキシブル配線基板の熱劣化も防止できる。
【００１０】
本発明のプロジェクターでは、前記遮蔽部材には、入射した光束を吸収する光吸収処理が施されていることが好ましい。
本発明では、遮蔽部材に光吸収処理が施されているので、遮蔽部材に照射された不要光が遮蔽部材にて反射され、再度、反射型偏光板側に戻ることを防止できる。すなわち、遮蔽部材にて反射された不要光が投射画像に含まれることがなく、投射画像の画像品位を良好に維持できる。
また、遮蔽部材に照射された不要光が遮蔽部材にて吸収されるため、遮蔽部材にて反射されることでプロジェクター外部に不要光が漏れることも防止できる。
【図面の簡単な説明】
【００１１】
【図１】本実施形態におけるプロジェクターの概略構成を模式的に示す図。
【図２】本実施形態における光学装置の構成を示す分解斜視図。
【発明を実施するための形態】
【００１２】
以下、本発明の実施の一形態を図面に基づいて説明する。
〔プロジェクターの構成〕
図１は、プロジェクター１の概略構成を模式的に示す図である。
プロジェクター１は、光源から出射される光束を画像情報に応じて変調して画像光を形成し、当該画像光をスクリーン（図示略）上に投射する。このプロジェクター１は、図１に示すように、外装を構成する外装筐体２と、投射光学装置としての投射レンズ３と、光学ユニット４等を備える。
なお、図１において、具体的な図示は省略したが、外装筐体２内において、投射レンズ３及び光学ユニット４以外の空間には、プロジェクター１内部の各構成部材を冷却する冷却ファン等を備えた冷却ユニット、プロジェクター１内部の各構成部材に電力を供給する電源ユニット、及びプロジェクター１内部の各構成部材を制御する制御装置等が配置されるものとする。
【００１３】
光学ユニット４は、前記制御装置による制御の下、光源から出射された光束を光学的に処理して画像信号に対応した画像光を形成する。この光学ユニット４は、図１に示すように、光源装置４１と、照明光学装置４２と、色分離光学装置４３と、光学装置５と、これら各部材４１〜４３，５を内部に収納配置する光学部品用筐体４４とを備える。
光源装置４１は、光源ランプ４１１及びリフレクター４１２等を備える。
照明光学装置４２は、第１レンズアレイ４２１、第２レンズアレイ４２２、入射した光束を略１種類の直線偏光光に変換する偏光変換素子４２３、及び重畳レンズ４２４を備える。
【００１４】
色分離光学装置４３は、青色光を反射させるＢ光反射ダイクロイックミラー４３１Ａ及び緑色光、赤色光を反射させるＧＲ光反射ダイクロイックミラー４３１ＢがＸ字状に配置されたクロスダイクロイックミラー４３１、緑色光を反射させるＧ光反射ダイクロイックミラー４３２、及び２枚の反射ミラー４３３，４３４を備える。
【００１５】
そして、光源装置４１から出射され照明光学装置４２を介した光束は、クロスダイクロイックミラー４３１に入射し、青色光成分と緑色光成分及び赤色光成分とに分離される。
クロスダイクロイックミラー４３１にて分離された青色光は、反射ミラー４３３にて反射され、光学装置５を構成する後述するワイヤーグリッド５１Ｂに入射する。
また、クロスダイクロイックミラー４３１にて分離された緑色光及び赤色光は、反射ミラー４３４にて反射された後、Ｇ光反射ダイクロイックミラー４３２に入射し、緑色光成分と赤色光成分とに分離される。そして、緑色光は、光学装置５を構成する後述するワイヤーグリッド５１Ｇに入射する。一方、赤色光は、光学装置５を構成する後述するワイヤーグリッド５１Ｒに入射する。
【００１６】
〔光学装置の構成〕
図２は、光学装置５の構成を示す分解斜視図である。
なお、図２では、説明の便宜上、光学装置５におけるＢ色光側のみを図示し、Ｒ，Ｇ色光側の図示を省略しているが、Ｒ，Ｇ色光側もＢ色光側と同様に構成されているものである。
光学装置５は、図１または図２に示すように、反射型偏光板としての３つのワイヤーグリッド５１と、３つの反射型光変調装置５２と、３つの偏光板５３と、色合成光学装置としてのクロスダイクロイックプリズム５４と、３つの支持体５５（図２）と、３つの遮蔽部材５６（図２）とを備える。
なお、図１では、説明の便宜上、赤色光側のワイヤーグリッドを５１Ｒ、緑色光側のワイヤーグリッドを５１Ｇ、青色光側のワイヤーグリッドを５１Ｂとしている。反射型光変調装置５２及び偏光板５３についても同様である。
【００１７】
３つのワイヤーグリッド５１は、格子構造に基づく回折により入射した光束を偏光分離する。各ワイヤーグリッド５１は、図１または図２に示すように、後述する支持体５５により、入射光束の光軸に対して略４５°傾斜した状態で配置される。そして、各ワイヤーグリッド５１は、入射した光束のうち、偏光変換素子４２３で揃えられた偏光方向と略同一の偏光方向を有する偏光光（第１の直線偏光光）を透過させ、前記偏光方向に直交する偏光方向を有する偏光光（第２の直線偏光光）を反射させ、入射した光束を偏光分離する。
【００１８】
３つの反射型光変調装置５２は、図２に示すように、装置本体としての反射型液晶パネル５２１と、フレキシブル配線基板としてのＦＰＣ５２２と、保持枠５２３と、ヒートシンク５２４とで構成されている。
そして、各反射型光変調装置５２は、図１または図２に示すように、後述する支持体５５により、各ワイヤーグリッド５１を透過した光束の光軸に対して反射型液晶パネル５２１が略直交した状態でそれぞれ配置される。
【００１９】
反射型液晶パネル５２１は、シリコン基板上に液晶が形成されたいわゆるＬＣＯＳで構成されている。
ＦＰＣ５２２は、前記制御装置と反射型液晶パネル５２１とを電気的に接続する。すなわち、ＦＰＣ５２２の一端側は、反射型液晶パネル５２１における平面視矩形状の長辺（鉛直軸に沿う方向）に相当する端部近傍に形成された外部回路接続端子（図示略）に圧着等により電気的に接続されている。また、ＦＰＣ５２２の他端側には、コネクター（図示略）が設けられ、当該コネクターを介して前記制御装置に電気的に接続する。
このＦＰＣ５２２は、図２に示すように、略Ｌ字状に屈曲した形状を有する。そして、ＦＰＣ５２２における屈曲した部分には、駆動用ＩＣチップ（図示略）が設けられている。
【００２０】
前記駆動用ＩＣチップは、例えば、反射型液晶パネル５２１を駆動させるための駆動回路の一部を含んで構成され、ＦＰＣ５２２に電気的及び機械的に固着されている。
そして、反射型液晶パネル５２１は、前記制御装置からの信号がＦＰＣ５２２及び前記駆動用ＩＣチップを介して入力されることで、前記液晶の配向状態が制御され、ワイヤーグリッド５１を透過した偏光光束の偏光方向を変調し、ワイヤーグリッド５１に向けて反射する。反射型液晶パネル５２１にて変調され、ワイヤーグリッド５１に向けて反射された光束は、偏光変換素子４２３で揃えられた偏光方向に直交する偏光方向を有する偏光光のみがワイヤーグリッド５１にて反射されてプリズム５４に向う。
【００２１】
保持枠５２３は、反射型液晶パネル５２１を保持する部材であり、金属等の熱伝導性材料から構成されている。
ヒートシンク５２４は、保持枠５２３の背面に取り付けられ、反射型液晶パネル５２１及び保持枠５２３の熱を放熱する。
【００２２】
３つの偏光板５３は、各反射型液晶パネル５２１にて変調されワイヤーグリッド５１にて反射された偏光方向と略同一の偏光方向を有する偏光光を透過させる。すなわち、ワイヤーグリッド５１及び偏光板５３の双方を用いることで、ワイヤーグリッド５１にて所望の直線偏光光以外の偏光成分が反射された場合であっても、偏光板５３にて前記偏光成分を除去する構成を採用している。
そして、各偏光板５３は、図１または図２に示すように、後述する支持体５５により、プリズム５４の各光入射面５４１にそれぞれ対向するように配置される。
【００２３】
プリズム５４は、図１または図２に示すように、各偏光板５３を透過した各色光がそれぞれ入射される各光入射面５４１を有し、入射した各色光を合成して画像光を形成する。このプリズム５４は、４つの直角プリズムを貼り合せた平面視略正方形状をなし、直角プリズム同士を貼り合せた界面には、２つの誘電体多層膜が形成されている。これら誘電体多層膜は、ワイヤーグリッド５１Ｇにて反射された緑色光を透過し、各ワイヤーグリッド５１Ｒ，５１Ｂにて反射された赤、青色光をそれぞれ反射する。このようにして、各色光が合成されて画像光が形成される。そして、プリズム５４で形成された画像光は、投射レンズ３によりスクリーンに向けて投射される。
【００２４】
３つの支持体５５は、金属等の熱伝導性材料から構成され、Ｒ，Ｇ，Ｂの色光毎に配設されるワイヤーグリッド５１、反射型光変調装置５２、及び偏光板５３をそれぞれ支持する。
この支持体５５は、図２に示すように、横断面略直角二等辺三角形状を有する三角柱状の中空部材であり、斜面である第１側面５５１、頂角を挟む第２側面５５２及び第３側面５５３を備える。そして、各側面５５１〜５５３には開口部５５４がそれぞれ形成されている。
【００２５】
第１側面５５１には、ワイヤーグリッド５１が固定される。
また、第２側面５５２には、反射型光変調装置５２が固定される。
さらに、第３側面５５３には、偏光板５３が固定される。
以上のように、各側面５５１〜５５３に各部材５１〜５３がそれぞれ固定されることで、各開口部５５４が閉塞され、支持体５５内部の空間が密閉される。すなわち、この密閉空間内に反射型液晶パネル５２１の反射面が配置されることとなるので、反射面への粉塵の付着を防ぐことができ、反射面に付着した粉塵が投射画像中に影として映る等の投射画像の劣化を防止できる。
【００２６】
３つの遮蔽部材５６は、金属等の熱伝導性を有する板体で構成され、３つの支持体５５にそれぞれ接続する。
この遮蔽部材５６は、反射型液晶パネル５２１にて変調される前にワイヤーグリッド５１に入射し、ワイヤーグリッド５１にて偏光分離された光束（第２の直線偏光光）の出射側に配設されている。
より具体的に、遮蔽部材５６は、図２に示すように、第１側面５５１及び第２側面５５２の交差する端部から第２側面５５２に略直交するように延出し、ワイヤーグリッド５１を挟んでプリズム５４の光入射面５４１に対向するように配置されている。そして、光入射面５４１に対向する側から見た場合には、遮蔽部材５６は、ワイヤーグリッド５１の一部を覆う。
また、遮蔽部材５６において、プリズム５４の光入射面５４１に対向する面には、鉛直方向に沿って延びる複数のフィン５６１が形成されている。
なお、本実施形態では、支持体５５及び遮蔽部材５６は、一体成形されたアルミニウム製の成形品で構成されている。また、支持体５５及び遮蔽部材５６には、ブラックアルマイト処理（光吸収処理）が施されている。
【００２７】
そして、反射型光変調装置５２が支持体５５に支持された状態では、ＦＰＣ５５２は、図２に示すように、遮蔽部材５６側に折り曲げられ、屈曲部分が遮蔽部材５６に取り付けられる。また、ＦＰＣ５５２の他端側は、光学部品用筐体４４の天面に形成された開口部（図示略）を介して光学部品用筐体４４外部に引き回され、前記制御装置に接続される。
上述したようにＦＰＣ５５２の屈曲部分が遮蔽部材５６に取り付けられた状態では、ＦＰＣ５５２に固着された前記駆動用ＩＣチップが遮蔽部材５６に熱伝達可能に接続する。
【００２８】
上述した本実施形態によれば、以下の効果がある。
本実施形態では、プロジェクター１は、ワイヤーグリッド５１を挟んでプリズム５４の光入射面５４１に対向するように配置された遮蔽部材５６を備える。
このことにより、プリズム５４の光入射面５４１に対して離間する方向に進行する不要光（反射型液晶パネル５２１にて変調される前にワイヤーグリッド５１に入射し、ワイヤーグリッド５１にて偏光分離された第２の直線偏光光や、プリズム５４の光入射面５４１等にて反射されワイヤーグリッド５１を透過した光束等）は、遮蔽部材５６に照射されることとなる。したがって、光学部品用筐体４４内面に上述した不要光が照射されることがなく、光学部品用筐体４４の熱劣化を防止してプロジェクター１の長寿命化が図れる。
【００２９】
また、遮蔽部材５６が支持体５５に接続しているため、不要光の照射により遮蔽部材５６に生じた熱を支持体５５に伝達させることができる。すなわち、遮蔽部材５６と支持体５５とを独立させた構成と比較して、遮蔽部材５６の放熱特性を向上させて遮蔽部材５６の温度上昇を抑制できる。
【００３０】
さらに、遮蔽部材５６及び支持体５５が一体成形されているので、遮蔽部材５６と支持体５５とを独立して製造した場合と比較して、遮蔽部材５６を支持体５５に対してネジ等により固定する工程を省略でき、プロジェクター１を容易に製造できる。
また、遮蔽部材５６が支持体５５とともに成形により一体形成されているので、遮蔽部材５６に複数のフィン５６１を容易に設けることができ、遮蔽部材５６にヒートシンクとしての機能を持たせることができる。そして、遮蔽部材５６にヒートシンクとしての機能を持たせることで、遮蔽部材５６の放熱特性を向上させることができるため、反射型液晶パネル５２１、ワイヤーグリッド５１、及び偏光板５３に生じた熱を支持体５５〜遮蔽部材５６の熱伝達経路を辿って遮蔽部材５６から放熱させることができ、上述した各部材５１，５３，５２１の温度上昇も抑制できる。
【００３１】
さらに、遮蔽部材５６は、反射型光変調装置５２が支持体５５に支持された際に、ＦＰＣ５２２を支持する。
このことにより、反射型光変調装置５２が支持体５５に支持された際に、ＦＰＣ５２２が折り曲げられた状態となった場合であっても、遮蔽部材５６にてＦＰＣ５２２を補強することができる。このため、ＦＰＣ５２２と反射型液晶パネル５２１との電気的な接続状態を良好に維持できる。
また、ＦＰＣ５２２が遮蔽部材５６に取り付けられることで、上述した不要光がＦＰＣ５２２に照射されることも防止できるため、ＦＰＣ５２２の熱劣化も防止できる。
さらに、前記駆動用ＩＣチップが遮蔽部材５６に熱伝達可能に接続するので、前記駆動用ＩＣチップの動作時の発熱を遮蔽部材５６や支持体５５を介して放熱することができ、前記駆動用ＩＣチップの長寿命化も図れる。
【００３２】
また、遮蔽部材５６及び支持体５５にブラックアルマイト処理が施されているので、遮蔽部材５６に照射された不要光が遮蔽部材５６にて反射され、再度、ワイヤーグリッド５１を介してプリズム５４に入射することを防止できる。すなわち、遮蔽部材５６にて反射された不要光が投射画像に含まれることがなく、投射画像の画像品位を良好に維持できる。
また、遮蔽部材５６に照射された不要光が遮蔽部材５６にて吸収されるため、遮蔽部材５６にて反射されてプロジェクター１外部に不要光が漏れることも防止できる。
【００３３】
なお、本発明は前述の実施形態に限定されるものではなく、本発明の目的を達成できる範囲での変形、改良等は本発明に含まれるものである。
前記実施形態では、反射型偏光板としてワイヤーグリッド５１が用いられていたが、反射型偏光板であれば、その他の構成でも構わない。
例えば、反射型偏光板として、誘電体多層膜によって形成される偏光分離素子、液晶材料等の屈折率異方性（複屈折性）を有する有機材料を層状に積層させた高分子系の層状偏光板、偏りのない光を右回りの円偏光と左回りの円偏光とに分離する円偏光反射板と１／４波長板を組み合わせた光学素子、ブリュースター角を利用して反射偏光光と透過偏光光とに分離する光学素子、あるいは、ホログラムを利用したホログラム光学素子等を採用しても構わない。
【００３４】
前記実施形態では、反射型偏光板としてのワイヤーグリッド５１は、第１の直線偏光光を透過させて反射型液晶パネル５２１に入射させるとともに、第２の直線偏光光を光路外に反射させていたが、これに限らない。
例えば、反射型偏光板としては、上記とは逆に、第１の直線偏光光を反射させて反射型液晶パネル５２１に入射させるとともに、第２の直線偏光光を透過させて光路外に出射する構成としても構わない。
この場合においても、遮蔽部材５６は、上記第２の直線偏光光の出射側に配設されるものである。
【００３５】
前記実施形態では、支持体５５は、横断面略直角二等辺三角形状の三角柱状に形成されていたが、これに限らず、ワイヤーグリッド５１と反射型光変調装置５２とが略４５°をなすようにこれら各部材５１，５２を支持できる形状であれば、その他の形状で構成しても構わない。
前記実施形態では、支持体５５の第３側面５５３に偏光板５３が配設されていたが、偏光板５３を省略した構成としてもよく、あるいは、偏光板５３の代わりに、位相差板、光学補償板等の他の光学素子を配置しても構わない。
前記実施形態では、遮蔽部材５６に施される光吸収処理としてブラックアルマイト処理を採用していたが、これに限らず、その他の処理を採用しても構わない。
【００３６】
前記実施形態では、支持体５５及び遮蔽部材５６が一体成形されていたが、これに限らず、例えば、支持体５５及び遮蔽部材５６を独立して製造し、支持体５５に対してネジ等により遮蔽部材５６を接続する構成を採用しても構わない。
前記実施形態では、プロジェクター１は、反射型光変調装置５２を３つ備える三板式のプロジェクターで構成されていたが、これに限らず、反射型光変調装置５２を１つ、２つ、あるいは、４つ以上備えるプロジェクターとして構成されても構わない。
前記実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００３７】
本発明は、プレゼンテーションやホームシアターに用いられるプロジェクターとして利用できる。
【符号の説明】
【００３８】
１・・・プロジェクター、５１・・・ワイヤーグリッド（反射型偏光板）、５２・・・反射型光変調装置、５５・・・支持体、５６・・・遮蔽部材、５２１・・・反射型液晶パネル（装置本体）、５２２・・・ＦＰＣ（フレキシブル配線基板）。
【図１】
0005413217.tif 000002
【図２】
0005413217.tif 000003